(57)【要約】【課題】電線群をプロテクタに締結バンドを用いて作業性良く固定する。【解決手段】底壁と、該底壁の両側から突設する側壁とでワイヤハーネスの挿通空間を囲むプロテクタにおいて、前記底壁に締結バンドの通し穴となる第１穴１１と第２穴１２を設け、第１穴１１は前記挿通空間から締結バンド１０のバンド片１０ａを通す穴とし、第２穴１２は第１穴を通したバンド片を前記底壁の背面側に回して挿通空間に引き出す通し穴とし、第１穴１１を通したバンド片１０ａを突き当てるガイド部１５を第１穴と反対位置の第２穴１２の周縁の底壁より外面に突設している。【選択図】図４
2010098921.tif 000002
【特許請求の範囲】
【請求項１】
底壁と、該底壁の両側から突設する側壁とでワイヤハーネスの挿通空間を囲むプロテクタにおいて、
前記底壁に締結バンドの通し穴となる第１穴と第２穴を設け、
前記第１穴は前記挿通空間から締結バンドのバンド片を通す穴とし、前記第２穴は第１穴を通したバンド片を前記底壁の背面側に回して挿通空間に引き出す通し穴とし、
前記第１穴を通したバンド片を突き当てるガイド部を前記第１穴と反対位置の第２穴の周縁の底壁より外面に突設していることを特徴とするワイヤハーネス用プロテクタ。
【請求項２】
前記第１穴及び第２穴は長穴とし、該長穴の長軸側の長さは前記バンド片の幅に相当する寸法とする一方、
前記バンド片を突き当てるガイド部は突当面を先細りの台形状とした枠部とし、
前記突当面の第２穴に近接した部分の寸法は、第１穴および第２穴の長軸側の長さ以上とし、第２穴の長軸側の一端に当たる位置から前記突当面にガイドリブを突設し、前記バンド片の先端を前記突当面に突き当てて前記ガイドリブに添わせると第２穴にバンド片が誘導されるようにしている請求項１に記載のワイヤハーネス用プロテクタ。
【発明の詳細な説明】
【技術分野】
【０００１】
本発明はワイヤハーネス用プロテクタに関し、詳しくは、車両に配索されるワイヤハーネスを挿通保護するプロテクタにおいて、プロテクタ内に挿通されているワイヤハーネスを締結バンドを用いて作業性良く固定するものである。
【背景技術】
【０００２】
自動車に配索されるワイヤハーネスは、経路規制や外部干渉材から電線群を保護する目的で、樹脂成形品からなるプロテクタに挿通されている。
該プロテクタは、底壁と両側壁とで囲まれた電線群の通路を設けた略樋形状とされ、長さ方向の両端の底壁からテープ巻き舌片を突出し、該テープ巻き舌片と電線群とに粘着テープを巻き付けて電線群をプロテクタに固定している場合が多い。
【０００３】
また、前記テープ巻きで固定する方法に代えて、プロテクタ内部に挿通したワイヤハーネスを締結バンドで固定するプロテクタがあり、この種のプロテクタとして特開２００１−２０８２８１号公報では、図５に示すプロテクタ１００が提案されている。
該プロテクタ１００は底壁１０１を挟む側壁１０２、１０３の対向位置に、一方の側壁１０２の内面側に結束バンド１１０の案内するガイド溝１０２ａを設けると共に他方の側壁１０３の外面にガイド１０３ａを設け、該ガイド溝１０３ａの下端に挿通穴１０４を設けているとともに、上端には切欠１０５を設けている。
該プロテクタ１００には、締結バンド１１０のバンド片１１０ａを挿通穴１０４を通してプロテクタ１００の内部に挿入し、該バンド片１１０ａをワイヤハーネス１２０と底壁１０１の間を通した後に前記ガイド溝１０２ａの内面に沿って引き上げる一方、締結バンド１１０の締結部１１０ｂに連続する部分のバンド片１１０ａはガイド溝１０３ａの外面に沿って引き上げ、切欠１０５を通して締結部１１０ｂをプロテクタ内部の上方へと引き出し、前記バンド片１１０ａをワイヤハーネス１２０の外周面に添わせた状態で締結部１１０ｂに通して締結している。
【０００４】
前記プロテクタ１００では、締結バンド１１０のバンド片１１０ａの一部を側壁１０３のガイド溝１０３ａの外面に添わせ、該ガイド溝１０３ａの下端に挿通穴１０４を通し、上端の切欠１０５を通してプロテクタ内部で締結しているため、該ガイド溝１０３ａに締結力が負荷され、プロテクタ１００に局部的に強度が低下し、プロテクタ１００が変形する恐れがある。
また、プロテクタの形状が比較的複雑になり、かつ、プロテクタ内部に挿通したワイヤハーネス１２０の底壁側の外周と底壁１０１の間にバンド片１１０ａを通す必要があると共に、側壁１０２の内面とワイヤハーネス１２０の外周面との間にバンド片１１０ａを通す必要がある。其の際、ワイヤハーネス１２０の電線群がバラバラの状態であると、バンド片１１０ａの先端が電線群の間に挿入しやすくなり、作業性が悪い問題もある。
【０００５】
【特許文献１】特開２００１−２０８２８１号公報
【発明の開示】
【発明が解決しようとする課題】
【０００６】
本発明は前記問題を解消せんとするもので、プロテクタ内に通したワイヤハーネスの電線群をプロテクタ内に通す締結バンドで作業性よくプロテクタに固定できるようにすることを課題としている。
【課題を解決するための手段】
【０００７】
前記課題を解決するため、本発明は、底壁と、該底壁の両側から突設する側壁とでワイヤハーネスの挿通空間を囲むプロテクタにおいて、
前記底壁に締結バンドの通し穴となる第１穴と第２穴を設け、
前記第１穴は前記挿通空間から締結バンドのバンド片を通す穴とし、前記第２穴は第１穴を通したバンド片を前記底壁の背面側に回して挿通空間に引き出す通し穴とし、
前記第１穴を通したバンド片を突き当てるガイド部を前記第１穴と反対位置の第２穴の周縁の底壁より外面に突設していることを特徴とするワイヤハーネス用プロテクタを提供している。
【０００８】
前記本発明のプロテクタでは、プロテクタ内部のワイヤハーネス挿通空間にワイヤハーネスを挿通した後に締結バンドを取り付けていることが好ましい。ワイヤハーネスの挿通穴に先に締結バンドのバンド片を前記第１穴と第２穴に通しておき、該挿通空間に位置するバンド片の両側の間にワイヤハーネスを後から挿通してもよい。しかしながら、ワイヤハーネスの挿通時にバンド片がワイヤハーネスにより埋もれる場合もあるため、締結バンドはワイヤハーネス挿通後に後通しすることが好ましい。
【０００９】
前記のように、本発明のプロテクタは底壁に第１穴と第２穴の２つの穴を設け、第１穴に通したバンド片は上方からは見えない底壁の下面側で底壁に沿って回して、第２穴に挿入する必要がある。この作業は第２穴の位置をバンド片の先端で探しながら行うこととなり、作業性が悪くなる。かつ、ワイヤハーネスを挿通空間に通した後にバンド片を取り付けると、第２穴はワイヤハーネスの下方に位置して上方からは第２穴が見えないために、時間がかかることとなる。
本発明では、前記のように、第２穴の周縁にバンド片が突き当たるガイド部を設けているため、バンド片が突き当たった位置に第２穴が位置することが分かる。よって、突き当たったガイド部に沿ってバンド片の先端を屈曲することにより、第２穴に誘いこまれ、バンド片を挿通空間に簡単に引き出すことができる。
これにより、上方からは見えにくく作業性が悪くなる第２穴への底壁の下面側から挿通を容易に行うことができ、締結バンドによるワイヤハーネスの固定が容易となる。
【００１０】
また、ガイド部を底壁から突設しているため、締結バンドによる締付負荷がかかる底壁部分を補強することができ、プロテクタの変形防止を図ることができる。
【００１１】
具体的には、前記第１穴及び第２穴は長穴とし、該長穴の長軸側の長さは前記バンド片の幅に相当する寸法とする一方、
前記バンド片を突き当てるガイド部は突当面を先細りの台形状とした枠部とし、
前記突当面の第２穴に近接した部分の寸法は、第１穴および第２穴の長軸側の長さ以上とし、第２穴の長軸側の一端に当たる位置から前記突当面にガイドリブを突設し、前記バンド片の先端を前記突当面に突き当てて前記ガイドリブに添わせると第２穴にバンド片が誘導されるようにしている。
【００１２】
前記のように、バンド片を突き当てるガイド部の突当面に、さらにガイドリブを設けておくと、バンド片の先端がガイド部の突当面に当接した後に、ガイド片の先端を横方向に滑らせていくとガイドリブに当たり、該ガイドリブに当たった時点で底壁に向けてガイド片の先端を曲げると、自動的にガイド片は第２穴に挿入でき、バンド片の通し作業をより簡単かつ確実に行うことができる。
【００１３】
そのため、インスツルメントパネルにプロテクタを固定した後に、後工程で挿通するワイヤハーネスがある場合に、作業者は見えない第２穴に無理なくバンド片を通すことができる。
【００１４】
前記挿通空間側からバンド片を通す第１穴は側壁に沿った位置の底壁に設けることが好ましい。該位置に第１穴を設けておくと、側壁に沿ってバンド片を挿通空間に挿入していくと、ワイヤハーネスの電線群と干渉せず、かつ、第１穴の位置を探すことなく簡単に通すことができる。
【００１５】
さらに、第１穴および第２穴の周縁に沿って底壁の下面にリブを突設しておくことが好ましい。該リブにより締結バンドの締結時に締め付け負荷が作用しても底壁の変形を抑制することができる。
【００１６】
本発明の底壁に設けた穴に締結バンドを通してワイヤハーネスを挿通空間内で固定するプロテクタは、底壁が屈曲し、プロテクタ内でワイヤハーネスを底壁から浮き上がらないように保持する必要がある場合に好適に用いられる。
【発明の効果】
【００１７】
前述したように、本発明のプロテクタによれば、底壁に第１穴と第２穴の２つの穴からなるバンド通し用の穴を設けているため、該第１穴と第２穴とにバンド片を通して、プロテクタの挿通空間に引き出したバンド片を、挿通空間に通したワイヤハーネスに巻き付けて、プロテクタ内部で締結バンドのバンド片を締結部に挿通係止することができる。このように、２つの穴にバンド片を連続して通すことにより、安定した状態でバンド片をプロテクタに取り付けることができ、よって、プロテクタ内部のワイヤハーネスを安定して固定することができる。
また、本発明のように、底壁に２つの穴を設けると、底壁の下面側からバンド片を通す第２穴への挿入作業が容易ではないが、本発明のプロテクタでは、バンド片の突当面を備えたガイド部を設けているため、底壁の下面側から第２穴へのバンド片の挿入を容易とすることができる。
【００１８】
さらに、ワイヤハーネスを締結バンドを用いて底壁内面に固定することができるため、底壁が屈曲する屈曲形状のプロテクタにおいて、ワイヤハーネスの浮き上がりを防止することができる。
【発明を実施するための最良の形態】
【００１９】
以下、本発明のプロテクタの実施形態を図面を参照して説明する。
図１に示すようにプロテクタ１は直線形状ではなく、上下段差がある屈曲形状としている。
【００２０】
プロテクタ１の底壁２は一端側に上向き傾斜部２０、中央部に水平部２１、他端側に下方に屈曲した下向き屈曲部２２を設けている。この屈曲形状の底壁２の幅方向の両端に沿って側壁３、４を一体的に突設し、底壁２と側壁３、４で囲んだワイヤハーネスの挿通空間５を設けている。
【００２１】
前記底壁２の一端側の上向き傾斜部２０の先端には断面Ｌ形状としたテープ巻き舌片６を突設し、他端側の下向き屈曲部２２の下端にも断面Ｌ形状としたテープ巻き舌片７を突設している。
図２に示すように、プロテクタ内の挿通空間５を挿通するワイヤハーネスＷ／Ｈは両端のテープ巻き舌片６、７に添わせ、この状態でワイヤハーネスＷ／Ｈとテープ巻き舌片方６、７に粘着テープＴを巻き付けることで、プロテクタ１の長さ方向の両端でワイヤハーネスＷ／Ｈをテープ巻き固定している。
【００２２】
両側に上向き傾斜部２０と下向き屈曲部２２とに挟まれている中央の水平部２１を挿通するワイヤハーネスＷ／Ｈは底壁２から浮き上がりやすくなるため、底壁２にワイヤハーネスＷ／Ｈをしっかりと固定するため、締結バンド１０を用いて固定している。
【００２３】
前記水平部２１の底壁２には、図１（Ｂ）および図３に示すように、側壁３との境界位置に第１穴１１を穿設していると共に、該第１穴１１から寸法Ｓ１をあけて底壁２の幅方向中央部に第２穴１２を穿設している。これら第１穴１１と第２穴１２は締結バンド１０のバンド片１０ａの形状と対応する長穴としている。かつ、第１穴１１および第２穴１２の周縁には底壁２の外面からリブ１３、１４を突設している。
【００２４】
前記第２穴１２の周縁で且つ第１穴１１と反対側の周縁に沿って、第１穴１１を通したバンド片１０ａの先端を突き当てるガイド部１５を底壁２から突設している。
該ガイド部１５は、第１穴１１に面する突当面１５ａが略台形状に寸法を狭めながら突出する枠形状として、所要の強度を付与している。
該ガイド部１５の突当面１５ａの根元側、即ち、第２穴１２と近接した部分の寸法Ｓ２は、第２穴１２の長軸側の寸法より大とし、本実施形態では約２倍としている。
【００２５】
さらに、ガイド部１５の突当面１５ａには、第２穴１２の長軸側の一端に沿ったリブ１４ａに連続してガイド部１５の突出端側へと延在するガイドリブ１５ｂを突設している。
【００２６】
前記プロテクタ１には蓋（図示せず）を被せ、プロテクタ１の側壁３、４の外面に突設したロック部２７と係止するようにしている。さらに、底壁２等の所要位置にパネル係止用のクリップ２８を設け、インスツルメントパネルあるいは車体パネルのクリップ穴に挿入係止するようにしている。
【００２７】
前記プロテクタ１の挿通空間５にワイヤハーネスＷ／Ｈを挿通し、底壁２の中央部の水平部２１にワイヤハーネスＷ／Ｈを締結バンド１０で締結固定する作業を図４を用いて説明する。
【００２８】
まず、図４（Ａ）に示すように、ワイヤハーネスＷ／Ｈをプロテクタ１の挿通空間５に挿通し、長さ方向の両端のテープ巻き舌片６、７にワイヤハーネスＷ／Ｈにそれぞれ添わせて、粘着テープＴを巻き付けて固着する。
ついで、図４（Ｂ）に示すように、プロテクタ１の水平部２１では、上方より締結バンド１０のバンド片１０ａをワイヤハーネスＷ／Ｈと側壁３の内面との隙間に挿入し、第１穴１１にバンド片１０ａを先端１０ａ−１より挿入する。
ついで、図４（Ｃ）に示すように、底壁２の下方へ引き出したバンド片１０ａの先端１０ａ−１を底壁２の中央部に向けると、ガイド部１５の突当面１５ａにバンド片先端１０ａ−１が突き当たる。
【００２９】
この状態で、バンド片１０ａの幅方向の側端がガイドリブ１５ｂと接触しておれば、図４（Ｄ）に示すように、ガイドリブ１５ｂにバンド片１０ａの先端１０ａ−１を添わせて底壁２側に向けると、バンド片先端１０ａ−１は第２穴１２に達する。
一方、バンド片１０ａの側縁がガイドリブ１５ｂと接触せず、バンド片１０ａを自由に横移動できる状態であれば、横移動させてガイドリブ１５ｂと接触させる。この状態で、前記のように、ガイドリブ１５ｂにバンド片１０ａの先端１０ａ−１を添わせて底壁２側に向けると、バンド片先端１０ａ−１は第２穴１２に達する。
【００３０】
バンド片先端１０ａ−１が第２穴１２に達すると、該第２穴１２を通して挿通空間５内にバンド片１０ａを挿入する。
これにより、図４（Ｅ）に示すように、挿通空間５の内部でワイヤハーネスＷ／Ｈをバンド片１０ａで挟む状態となる。
ついで、バンド片１０ａの基端に連続する締結部１０ｂの係止穴１０ｃにバンド片先端１０ａ−１を挿入して引っ張り、ワイヤハーネスＷ／Ｈにバンド片１０ｂをしっかりと巻き付けた状態で係止穴１０ｃに設けた係止片１０ｄをバンド片１０ａに設けた係止溝と係止して締結固定し、前記図２に示すように締結バンド１０でワイヤハーネスＷ／Ｈを底壁２の水平部２１に固定する。
【００３１】
このように、水平部２１でワイヤハーネスＷ／Ｈを底壁２に締結バンド１０で固定することにより、水平部２１でのワイヤハーネスＷ／Ｈの浮き上がりを防止できる。
【００３２】
前記のように、プロテクタ１内に挿通するワイヤハーネスをプロテクタ１に固定した後に、蓋（図示せず）を被せている。その際、ワイヤハーネスＷ／Ｈの浮き上がりを防止しているため、蓋がワイヤハーネスＷ／Ｈに押し上げられることはなく、容易に蓋を取り付けることができる。
【００３３】
なお、本発明のプロテクタは前記実施形態の屈曲形状のプロテクタに限定されず、プロテクタに挿通するワイヤハーネスの長さ方向の両端を固定するテープ巻きに代えて、プロテクタの長さ方向の両端の底壁に前記第１穴、第２穴を設けて締結バンドを用いてワイヤハーネスをプロテクタに固定してもよい。この場合、プロテクタの両端からテープ巻き舌片を突設する必要はないため、プロテクタの小型化を図ることができる。
【図面の簡単な説明】
【００３４】
【図１】本発明の実施形態のプロテクタを示し、（Ａ）は側面図、（Ｂ）は平面図、（Ｃ）は断面図である。
【図２】前記プロテクタにワイヤハーネスを挿通して固定した状態を示す断面図である。
【図３】水平部の底壁を示し、（Ａ）は下方から見た斜視図、（Ｂ）は断面図、（Ｃ）は底面図である。
【図４】（Ａ）〜（Ｅ）は締結バンドによるワイヤハーネスの締結固定工程を示す図面である。
【図５】従来例を示す図面である。
【符号の説明】
【００３５】
１  プロテクタ
２  底壁  
３、４  側壁
５  ワイヤハーネスの挿通空間
６、７  テープ巻き舌片
１０  締結バンド
１０ａ  バンド片
１０ｂ  締結部
１１  第１穴
１２  第２穴
１５  ガイド部
１５ａ  突当面
１５ｂ  ガイドリブ
Ｗ／Ｈ  ワイヤハーネス
【図１】
2010098921.tif 000003
【図２】
2010098921.tif 000004
【図３】
2010098921.tif 000005
【図４】
2010098921.tif 000006
【図５】
2010098921.tif 000007